(57)【要約】【課題】  押ボタンを狭小な空間内にコンパクトに組み込むこと。【解決手段】  フロントパネルに嵌合するリアカバー２が裏板２Ａ及び外周枠２Ｂからなり、その外周枠２Ｂの上板２ａがフロントパネルに向かって所定の傾斜角度αで斜め外向きに傾斜され、該上板２ａにボタン孔３が貫設され、該ボタン孔３に合成樹脂製押ボタン４が配置された薄型電子機器において、前記押ボタン４が、ボタン孔３に挿入されるボタン本体４Ａと、該ボタン本体４Ａの外周縁から外方に延びる弾性変位可能な前後一対の弾性アーム４Ｅ，４Ｆとを有し、該両弾性アーム４Ｅ，４Ｆの遊端どうしが共通基板４Ｇを介して一体形成され、該共通基板４Ｇの各ロック孔１９ａ，１９ｂを上板２ａの下面に一体突設したロックピン２１ａ，２１ｂに圧嵌させることにより、ボタン本体４Ａがボタン孔３に挿入される。【選択図】        図１
2009123358.tif 000002
【特許請求の範囲】
【請求項１】
フロントパネルに前後方向の幅を小さく設定した合成樹脂製リアカバーが嵌合され、該
リアカバーが、フロントパネルと平行する裏板と、該裏板の外周縁に一体突設されてフロ
ントパネルに嵌合する外周枠とからなり、その外周枠のボタン取付板がフロントパネルに
向かって所定の傾斜角度で斜め外向きに傾斜され、該ボタン取付板にボタン孔が貫設され
、該ボタン孔に合成樹脂製押ボタンが配置された薄型電子機器において、前記押ボタンが
、ボタン孔に挿入されるボタン本体と、該ボタン本体の外周縁から外方に延びる弾性変位
可能な前後一対の弾性アームとを有し、該両弾性アームの遊端どうしが共通基板を介して
互いに一体形成され、該共通基板にロック孔が貫設され、前記ボタン孔に隣接してボタン
取付板の裏面に受台が一体突設されると共に、該受台にロックピンが一体突設されており
、該ロックピンに前記ロック孔を圧嵌させて共通基板を受台に当接させることにより、ボ
タン本体がボタン孔に挿入されるようにしたことを特徴とする薄型電子機器。
【請求項２】
前記ロックピンが前後一対設けられ、その後側ロックピンの軸心が前記ボタン孔の軸心
を前後方向とは直交する左右方向に沿って通る仮想線上またはそれより前方に位置決めさ
れ、前記両弾性アームが同一長さで略コ字状に形成されていることを特徴とする請求項１
に記載の薄型電子機器。
【請求項３】
フロントパネルに前後方向の幅を小さく設定した合成樹脂製リアカバーが嵌合され、該
リアカバーが、フロントパネルと平行する裏板と、該裏板の外周縁に一体突設されてフロ
ントパネルに嵌合する外周枠とからなり、その外周枠のボタン取付板がフロントパネルに
向かって所定の傾斜角度で斜め外向きに傾斜され、該ボタン取付板にボタン孔が貫設され
、該ボタン孔に合成樹脂製押ボタンが配置された薄型電子機器において、前記押ボタンが
、ボタン孔に挿入されるボタン本体と、該ボタン本体の外周縁から外方に延びる弾性変位
可能な前後一対の弾性アームとを有し、該両弾性アームの遊端どうしが共通基板を介して
互いに一体形成され、該共通基板に前後一対のロック孔が貫設され、前記ボタン孔に隣接
してボタン取付板の裏面に受台が一体突設されると共に、該受台に前後一対のロックピン
が一体突設され、その後側ロックピンの軸心が前記ボタン孔の軸心を前後方向とは直交す
る左右方向に沿って通る仮想線上またはそれより前方に位置決めされ、前記両弾性アーム
が同一長さで略コ字状の形成されており、前記各ロックピンに各ロック孔を圧嵌させて共
通基板を受台に当接させることにより、ボタン本体がボタン孔に挿入されるようにしたこ
とを特徴とする薄型電子機器。
【発明の詳細な説明】
【技術分野】
【０００１】
本発明は、例えばポータブルナビゲータなどの薄型電子機器に関し、特に、押ボタンを
狭小な空間内にコンパクトに組み込むことができるようにしたものである。
【背景技術】
【０００２】
薄型電子機器として図５の斜視図に示すものがあり、これはポータブルナビゲータであ
って、液晶表示画面１ａを備えたフロントパネル１に前後方向ａ，ｂの幅ｔ（例えばｔ＝
１０〜２０ｍｍ）を小さく設定した合成樹脂製リアカバー２が嵌合され、該リアカバー２
が、フロントパネル１と平行する裏板２Ａと、該裏板２Ａの外周縁に一体突設されてフロ
ントパネルに嵌合する正面視ロ字状の外周枠２Ｂとからなり、その外周枠２Ｂの上板（ボ
タン取付板）２ａがフロントパネル１に向かって所定の傾斜角度αで斜め外向きに傾斜さ
れ、該上板２ａの前後方向ａ，ｂのほぼ中央にボタン孔３が貫設され、該ボタン孔３に合
成樹脂製押ボタン４が配置されている。
【０００３】
従来、薄型電子機器の具体的構造として図６〜図１０に示すものがあり、図６は同縦断
面図、図７は図６のＢ−Ｂ矢視図、図８は同斜視図、図９は同要部の分解縦断面図、図１
０（ａ）は同不適切組み込み状態の一例を示す縦断面図、図１０（ｂ）は同不適切組み込
み状態の他の例を示す縦断面図、図１０（ｃ）は同不適切組み込み状態の更に他の例を示
す縦断面図である。
【０００４】
図６〜図９に示すように、押ボタン４が、ボタン孔３に挿入されるボタン本体４Ａと、
該ボタン本体４Ａの下端に一体形成した鍔部４Ｂの外周縁から外方に延びる弾性変位可能
な一対の側面視略Ｌ字状弾性アーム４Ｃ，４Ｄとを有しており、該各弾性アーム４Ｃ，４
Ｄの後端部にロック孔６が貫設され、その両弾性アーム４Ｃ，４Ｄの外面対向角度βを上
板２ａと受台７との間の内面対向角度θにほぼ一致させている。
【０００５】
図６〜図９に示すように、前記ボタン孔３に接近して裏板２Ａの内周面に左右一対の受
台７が所定間隔をおいて一体突設されると共に、該各受台７の垂直状側面７ａにロックピ
ン８が一体突設されている。図６中、９はプリント配線基板１０上に固定したスイッチで
あって、ボタン本体４Ａの下面に当接または接近されている。
【０００６】
押ボタン４の組み込み手順を説明すると、押ボタン４をリアカバー２内に差し込んで、
各弾性アーム４Ｃ，４Ｄのロック孔６を各ロックピン８に圧嵌させて該各弾性アーム４Ｃ
，４Ｄの後端部を各受台７の側面７ａに当接させ、その各弾性アーム４Ｃ，４Ｄの前端部
を弾性変位させてボタン本体４Ａをボタン孔３に挿入する（図６参照）。
【０００７】
上記構成において、ボタン本体４Ａを指部で押すことにより、両弾性アーム４Ｃ，４Ｄ
を弾性変位させ、スイッチ９をオン・オフ操作する。なお、関連する技術として特許文献
１に記載したものがある。
【特許文献１】特開２００６−１６４７４８号公報
【発明の開示】
【発明が解決しようとする課題】
【０００８】
上記従来の構成では、ボタン孔３が上下方向に向いているのに対して、各ロックピン８
が前後方向ａ，ｂに向いているため、該各ロックピン８にロック孔６を圧嵌させると同時
に、各弾性アーム４Ｃ，４Ｄの前端部を弾性変形させてボタン本体４Ａをボタン孔３に強
制的に押し込む必要があり、その組み込みに手間がかかって面倒である。
【０００９】
前記リアカバー２及び押ボタン４が、合成樹脂で一体成形されており、変形されやすい
から、リアカバー２の内面対向角度θ及び押ボタン４の外面対向角度βに寸法誤差が生じ
ることがあり、図１０（ａ）に示すように、外面対向角度βが内面対向角度θよりも小さ
くなった場合には（β＜θ）、ボタン本体４Ａがボタン孔３内に間隔ｈ分だけ落ち込んだ
状態となり、外観上の体裁が悪くなると共に、使い勝手も悪い。図１０（ｂ）に示すよう
に、外面対向角度βが内面対向角度θよりも大きくなった場合には（β＞θ）、ボタン本
体４Ａがボタン孔３の下端内周縁に引っ掛かることがある。図１０（ｃ）に示すように、
ボタン孔３の口径ｅを大きくして、該ボタン孔３にボタン本体４Ａを挿入し易くした場合
には、そのボタン孔３からリアカバー２内に塵埃が入りやすくなる。
【００１０】
また、両弾性アーム４Ｃ，４Ｄが側面視略Ｌ字状に形成されていて構造が複雑であるか
ら、その成形金型の構造も複雑になり、金型代が高くつく。
【００１１】
特許文献１によれば、図１１の斜視図に示すように、押ボタン４が、ボタン本体４Ａと
、該ボタン本体４Ａに一体形成した鍔部４Ｂの外周縁から外方に延びる弾性変位可能な左
右一対の正面視略Ｌ字状弾性アーム４Ｃ，４Ｄとを有しており、その各弾性アーム４Ｃ，
４Ｄの端部に貫設した係合孔１５を外装パネル１６の裏面に突設した係合ピン１７に嵌合
させることにより、ボタン本体４Ａを外装パネル１６の嵌合穴１８に嵌入させている。
【００１２】
上記構成によれば、両弾性アーム４Ｃ，４Ｄが互いに独立しているため、例えば右利き
の人が指部でボタン本体４Ａの中央部右寄りの位置を習慣的に繰り返し押すことにより、
右側弾性アーム４Ｄに集中的に繰り返し負荷がかかった場合、その右側弾性アーム４Ｄが
比較的早期に弾性疲労を起こして弾性復元力を低下させ、ボタン本体４Ａを弾性的に確実
に支持することができなくなるおそれがある。
【００１３】
また、押ボタン４が、ボタン本体４Ａの中心を通る中心線Ｐに対して線対称形に形成さ
れ、その横幅ｍが比較的大きいため、本発明が対象としている薄型電子機器内にコンパク
トに組み込むことが困難である。
【００１４】
本発明は、上記従来の欠点に鑑み、押ボタンを狭小な空間内にコンパクトに組み込むこ
とができるようにした薄型電子機器を提供することを目的としている。
【課題を解決するための手段】
【００１５】
上記目的を達成するため、請求項１に記載の発明は、フロントパネルに前後方向の幅を
小さく設定した合成樹脂製リアカバーが嵌合され、該リアカバーが、フロントパネルと平
行する裏板と、該裏板の外周縁に一体突設されてフロントパネルに嵌合する外周枠とから
なり、その外周枠のボタン取付板がフロントパネルに向かって所定の傾斜角度で斜め外向
きに傾斜され、該ボタン取付板にボタン孔が貫設され、該ボタン孔に合成樹脂製押ボタン
が配置された薄型電子機器において、前記押ボタンが、ボタン孔に挿入されるボタン本体
と、該ボタン本体の外周縁から外方に延びる弾性変位可能な前後一対の弾性アームとを有
し、該両弾性アームの遊端どうしが共通基板を介して互いに一体形成され、該共通基板に
ロック孔が貫設され、前記ボタン孔に隣接してボタン取付板の裏面に受台が一体突設され
ると共に、該受台にロックピンが一体突設されており、該ロックピンに前記ロック孔を圧
嵌させて共通基板を受台に当接させることにより、ボタン本体がボタン孔に挿入されるよ
うにしたことを特徴としている。
【００１６】
請求項２に記載の発明は、請求項１に記載の発明において、前記ロックピンが前後一対
設けられ、その後側ロックピンの軸心が前記ボタン孔の軸心を前後方向とは直交する左右
方向に沿って通る仮想線上またはそれより前方に位置決めされ、前記両弾性アームが同一
長さで略コ字状に形成されていることを特徴としている。
【００１７】
請求項３に記載の発明は、フロントパネルに前後方向の幅を小さく設定した合成樹脂製
リアカバーが嵌合され、該リアカバーが、フロントパネルと平行する裏板と、該裏板の外
周縁に一体突設されてフロントパネルに嵌合する外周枠とからなり、その外周枠のボタン
取付板がフロントパネルに向かって所定の傾斜角度で斜め外向きに傾斜され、該ボタン取
付板にボタン孔が貫設され、該ボタン孔に合成樹脂製押ボタンが配置された薄型電子機器
において、前記押ボタンが、ボタン孔に挿入されるボタン本体と、該ボタン本体の外周縁
から外方に延びる弾性変位可能な前後一対の弾性アームとを有し、該両弾性アームの遊端
どうしが共通基板を介して互いに一体形成され、該共通基板に前後一対のロック孔が貫設
され、前記ボタン孔に隣接してボタン取付板の裏面に受台が一体突設されると共に、該受
台に前後一対のロックピンが一体突設され、その後側ロックピンの軸心が前記ボタン孔の
軸心を前後方向とは直交する左右方向に沿って通る仮想線上またはそれより前方に位置決
めされ、前記両弾性アームが同一長さで略コ字状の形成されており、前記各ロックピンに
各ロック孔を圧嵌させて共通基板を受台に当接させることにより、ボタン本体がボタン孔
に挿入されるようにしたことを特徴としている。
【発明の効果】
【００１８】
請求項１に記載の発明によれば、ロックピンにロック孔を圧嵌させると、それと同時に
、ボタン本体がボタン孔に自動的に挿入され、その組み込み作業を簡単確実に行なうこと
ができる。
【００１９】
また、両弾性アームが側面から見て直線状に形成されており、その構造が簡単であるか
ら、押ボタンの成形金型の構造も簡単になり、金型代が安くつく。
【００２０】
更に、両弾性アームの遊端どうしが共通基板を介して互いに一体形成されているから、
例えば指部でボタン本体の中央部から外れた位置を習慣的に繰り返し押すことにより、一
方の弾性アームに繰り返し負荷がかかっても、その負荷を他方の弾性アームでも分担して
受けるので、その一方の弾性アームだけが比較的早期に弾性疲労を起こして弾性復元力を
低下させることがなく、両弾性アームでボタン本体を長期にわたって弾性的に確実に支持
することができる。
【００２１】
請求項２に記載の発明において、リアカバーのボタン取付板がフロントパネルに向かっ
て所定の傾斜角度で斜め外向きに傾斜されているから、後側弾性アームの後方への突出幅
が大きく設定されると、該後側弾性アームがボタン取付板に接触して、その後側弾性アー
ムの弾性変位を阻害するおそれがある。
【００２２】
これに対して、本発明によれば、後側ロックピンの軸心がボタン孔の軸心を前後方向と
は直交する左右方向に沿って通る仮想線上またはそれより前方に位置決めされて、その仮
想線を中心に押ボタンが非対称形に形成されており、後側弾性アームの後方への突出幅が
小さく設定されているから、該後側弾性アームがボタン取付板に接触するおそれがなく、
その後側弾性アームを円滑に弾性変位させてボタン本体を所定通りに弾性的に支持するこ
とができる。
【００２３】
また、押ボタンの左右方向の横幅が大きく設定されると、その押ボタンをリアカバー内
の狭小な内部空間内に組み込むことが困難になる。
【００２４】
これに対して、本発明によれば、両弾性アームが同一長さで略コ字状に形成されて、押
ボタンの左右方向の横幅が小さく設定されているから、その押ボタンをリアカバー内の狭
小な内部空間内に容易に組み込むことができる。
【００２５】
要するに、本発明の押ボタンは、前後方向及び左右方向の専有範囲が小さいから、リア
カバー内の狭小な空間内でもコンパクトに組み込むことができる。
【００２６】
請求項３に記載の発明は実施の一形態（図１〜図４参照）に対応するものであって、こ
れによれば、請求項１及び２に記載の発明と同等の効果を得ることができる。
【発明を実施するための最良の形態】
【００２７】
図１〜図４は本発明の実施の一形態である薄型電子機器を示すものであり、これはポー
タブルナビゲータであって、図１は同縦断面図、図２は図１のＡ−Ａ矢視図、図３は同斜
視図、図４は同組み込み手順を示す要部の分解縦断面図である。
【００２８】
図１〜図４に示すように、押ボタン４が、ボタン孔３に挿入されるボタン本体４Ａと、
該ボタン本体４Ａの下端に一体形成した鍔部４Ｂの外周縁から外方に延びる弾性変位可能
な一対の前後両弾性アーム４Ｅ，４Ｆとを有し、該両弾性アーム４Ｅ，４Ｆの遊端どうし
がその両弾性アーム４Ｅ，４Ｆよりも広幅の共通基板４Ｇを介して互いに一体形成され、
該共通基板４Ｇに前後一対のロック孔１９ａ，１９ｂが貫設されている。
【００２９】
図１〜図４に示すように、ボタン孔３に隣接して上板２ａの下面に受台２０が前後方向
ａ，ｂに沿って一体突設され、該受台２０の水平状下面２０ａに前後一対のロックピン２
１ａ，２１ｂが一体突設され、その後側ロックピン２１ａの軸心Ｏ１がボタン孔３の軸心
Ｏ２を前後方向ａ，ｂとは直交する左右方向ｃ，ｄに沿って通る仮想線Ｓ上（またはそれ
より前側）に位置決めされ、前側ロックピン２１ｂが後側ロックピン２１ａより所定間隔
ｋをおいて前方ａに位置決めされ、前記両弾性アーム４Ｅ，４Ｆが同一長さで略コ字状に
形成されている。なお、図３中、２２はボタン孔３を間に挟んで上板２ａの下面に一体突
設した支持台であって、該支持台２２の水平状下面２２ａに鍔部４Ｂを当接させる。上記
以外の構成は図５〜図１０に示す構成とほぼ同じであるから、同一部分に同一符号を付し
てその説明を省略する。
【００３０】
押ボタン４の組み込み手順を説明すると、図４に示すように、押ボタン４をリアカバー
２内に差し込んで持ち上げ、各ロック孔１９ａ，１９ｂを各ロックピン２１ａ，２１ｂに
圧嵌させて、共通基板４Ｇを受台２０の下面２０ａに当接させることにより、ボタン本体
４Ａをボタン孔３に挿入する（図１参照）。
【００３１】
上記構成によれば、ボタン孔３と各ロックピン２１ａ，２１ｂとが同一方向に向いてい
るから、該各ロックピン２１ａ，２１ｂに各ロック孔１９ａ，１９ｂを圧嵌させると、そ
れと同時に、ボタン本体４Ａがボタン孔３に自動的に挿入され、その組み込み作業を簡単
確実に行なうことができる。
【００３２】
また、図４に示すように、両弾性アーム４Ｅ，４Ｆが側面から見て直線状に形成されて
おり、その構造が簡単であるから、押ボタン４の成形金型の構造も簡単になり、金型代が
安くつく。
【００３３】
更に、図２に示すように、両弾性アーム４Ｅ，４Ｆの遊端どうしが共通基板４Ｇを介し
て互いに一体形成されているから、例えば指部でボタン本体４Ａの中央部から外れた位置
を習慣的に繰り返し押すことにより、一方の弾性アーム４Ｅ（または４Ｆ）に繰り返し負
荷がかかっても、その負荷を他方の弾性アーム４Ｆ（４Ｅ）でも分担して受けるので、そ
の一方の弾性アーム４Ｅ（または４Ｆ）だけが比較的早期に弾性疲労を起こして弾性復元
力が低下することがなく、両弾性アーム４Ｅ，４Ｆでボタン本体４Ａを長期にわたって弾
性的に確実に支持することができる。
【００３４】
ここで、図１に示すように、リアカバー２の上板２ａがフロントパネル１に向かって所
定の傾斜角度αで斜め外向きに傾斜されているから、後側弾性アーム４Ｅの後方ｂへの突
出幅が大きく設定されると、該後側弾性アーム４Ｅが上板２ａの下面に接触して、その後
側弾性アーム４Ｅの弾性変位を阻害するおそれがある。
【００３５】
これに対して、本発明によれば、図２に示すように、後側ロックピン２１ａの軸心Ｏ１
がボタン孔３の軸心Ｏ２を通る仮想線Ｓ上（またはそれより前方ａ）に位置決めされて、
その仮想線Ｓを中心に押ボタンが非対称形に形成されており、後側弾性アーム４Ｅの後方
ｂへの突出幅ｇが小さく設定されているから、該後側弾性アーム４Ｅが上板２ａの下面に
接触するおそれがなく、その後側弾性アーム４Ｅを円滑に弾性変位させてボタン本体４Ａ
を所定通りに弾性的に支持することができる。
【００３６】
また、図１１に示す構成では、押ボタン４の横幅ｍが比較大きく設定されているから、
その押ボタン４をリアカバー２内の狭小な内部空間内に組み込むことが困難になる。
【００３７】
これに対して、本発明によれば、図２に示すように、両弾性アーム４Ｅ，４Ｆが同一長
さで略コ字状に形成されて、押ボタン４の左右方向ｃ，ｄの横幅ｒが小さく設定されてい
るから、その押ボタン４をリアカバー２内の狭小な内部空間内に容易に組み込むことがで
きる。
【００３８】
要するに、本発明の押ボタン４は、前後方向ａ，ｂ及び左右方向ｃ，ｄの専有範囲が小
さいから、リアカバー２内の狭小な空間内にコンパクトに組み込むことができる。
【００３９】
上記実施の形態では、押ボタン４を外周枠２Ｂの上板２ａに取り付けた場合を示したが
、これに限定されるわけではなく、その押ボタン４を外周枠２Ｂの側板に取り付ける場合
にも適用される。
【図面の簡単な説明】
【００４０】
【図１】本発明の実施の一形態である薄型電子機器を示す縦断面図である。
【図２】図１のＡ−Ａ矢視図である。
【図３】同斜視図である。
【図４】同組み込み手順を示す要部の分解縦断面図である。
【図５】薄型電子機器を示す斜視図である。
【図６】従来例を示す縦断面図である。
【図７】図６のＢ−Ｂ矢視図である。
【図８】同斜視図である。
【図９】同要部の分解縦断面図である。
【図１０】（ａ）は同不適切組み込み状態の一例を示す縦断面図、（ｂ）は同不適切組み込み状態の他の例を示す縦断面図、（ｃ）は同不適切組み込み状態の更に他の例を示す縦断面図である。
【図１１】他の従来例を示す斜視図である。
【符号の説明】
【００４１】
１              フロントパネル
２              リアカバー
２Ａ            リアカバーの裏板
２Ｂ            リアカバーの外周枠
２ａ            上板（ボタン取付板）
３              ボタン孔
４              押ボタン
４Ａ            ボタン本体
４Ｅ            後側弾性アーム
４Ｆ            前側弾性アーム
４Ｇ            共通基板
１９ａ，１９ｂ  ロック孔
２０            受台
２１ａ，２１ｂ  ロックピン
Ｓ              仮想線
Ｏ１            後側ロックピンの軸心
Ｏ２            ボタン孔の軸心
ａ，ｂ          前後方向
ｃ，ｄ          左右方向
ｔ              リアカバーの幅
【図１】
2009123358.tif 000003
【図２】
2009123358.tif 000004
【図３】
2009123358.tif 000005
【図４】
2009123358.tif 000006
【図５】
2009123358.tif 000007
【図６】
2009123358.tif 000008
【図７】
2009123358.tif 000009
【図８】
2009123358.tif 000010
【図９】
2009123358.tif 000011
【図１０】
2009123358.tif 000012
【図１１】
2009123358.tif 000013